(57)【要約】【課題】ワイヤハーネスの電線群の外周に巻き付けるシートを簡単に巻き付けられるように改良する。【解決手段】自動車に配索するワイヤハーネスの複数の電線群１０の長さ方向に沿って一枚の保護シート１を側方より寿司巻き状に巻き付けており、保護シート１は、絶縁樹脂からなるシート本体２の一面の巻付端縁に沿ってオス係止部４ｂを設けたオス型面ファスナー４を取り付けている一方、シート本体２の他面側に、オス型面ファスナー４と対向する巻付端側を除く全面にメス係止部を設けたメス型面ファスナー３を取り付けたものとし、保護シート１は電線群１０の外周に、シート本体２を外面とすると共にメス型面ファスナー４を内面として巻き付け、巻付端側で内周側に位置させるオス係止部４ｂにメス係止部３ｂを係止していることを特徴とするワイヤハーネスからなる。【選択図】図２
2009266596.tif 000002
【特許請求の範囲】
【請求項１】
自動車に配索するワイヤハーネスの複数の電線群の長さ方向に沿って一枚の保護シートを側方より寿司巻き状に巻き付けており、
前記保護シートは、絶縁樹脂からなるシート本体の一面の巻付端縁に沿ってオス型面ファスナーを取り付けている一方、前記シート本体の他面側に、前記オス型面ファスナーと対向する巻付端側を除く全面にメス型面ファスナーを取り付けたものとし、
前記保護シートは、前記電線群の外周に、前記シート本体を外面とすると共に前記メス型面ファスナーを内面として巻き付け、巻付端側で内周側に位置させる前記オス型面ファスナーのオス係止部に前記メス型面ファスナーのメス係止部を係止していることを特徴とするワイヤハーネス。  
【請求項２】
前記保護シートのシート本体は塩化ビニル樹脂シートからなる請求項１に記載のワイヤハーネス。
【発明の詳細な説明】
【技術分野】
【０００１】
本発明は自動車に配索されるワイヤハーネスに関し、特に、ワイヤハーネスの電線群を集束保護するシートを簡単に取り付けるものである。
【背景技術】
【０００２】
近時、自動車に搭載する電装品が急増しているため、これら電装品と接続する電線群を集束したワイヤハーネスも急増している。
ワイヤハーネスは、多数の電線の外周に粘着テープを螺旋状に巻き付けて集束保護したり、部分的に長尺なシートを電線群の長さ方向に沿って寿司巻き状に巻き付けて集束保護する場合が多い。
【０００３】
前記シートとしては、図４（Ａ）に示すような、シート本体Ｓの長さ方向の一端縁に沿って接着剤１００が塗布され、その表面に剥離紙１０１が貼着されたシートが汎用されている。
該シートＳは図４（Ｂ）に示すように、電線群Ｗの外周に寿司巻き状に巻き付け、巻付端の内面の接着層１００を位置させ、該状態で、剥離紙１０１を剥がして接着層１００を露出させ、内周側のシートＳの外面に接着して貼り合わせている。
【０００４】
しかしながら、前記シートＳを用いると、シート巻き付け工程で剥離紙１０１を剥がし、この剥がした剥離紙１０１を所定のゴミ箱へ捨てなければならず、余分な作業が発生する。また、剥がした剥離紙１０１はゴミとして散乱する場合もあり、環境上から剥離紙を無くすことが要望されている。
さらにまた、剥離紙１０２を剥がして露出させた接着剤１００は作業者の手や不要な箇所に接着しやすい。また、一旦、内周側のシートの外面に接着してしまうと、シートにだぶり等が発生して巻き付け不良であっても、再度、巻直すことが容易に出来ない問題がある。
【０００５】
接着剤を用いないシートとして、特開平１１−２１５６４２号公報において、図５（Ａ）（Ｂ）に示すシールド付後被覆式チューブが提供されている。該被覆式チューブは、絶縁樹脂フィルムＦの内面に薄銅層等の導電層Ｅを一体的に圧接したシートの両端縁に沿って細幅のマジックテープ（登録商標）Ｍ１とＭ２を取り付け、あるいはホック等の合わせ手段を設けている。この合わせ手段を用いることで、接着剤を用いることなく結合して、電線群Ｗを後被覆できるチューブとしている。
【０００６】
マジックテープを用いて結合する場合、前記剥離紙を剥がして用いる接着剤で結合する際に発生する問題を解消することができる。
しかしながら、シートの両端縁にのみ細幅のマジックテープＭ１とＭ２とを貼り付けているため、該マジックテープＭ１とＭ２とを結合した状態で、シートで囲む容積が一定となる。よって、該シートで被覆する電線群が設定した容積より小さい場合には、シート内に電線群をしっかりと保持することが出来ず、自動車の走行時に電線群とシートとの間にガタ付きが発生し、異音発生の原因となりやすい。
【０００７】
【特許文献１】特開平１１−２１５６４２号公報
【発明の開示】
【発明が解決しようとする課題】
【０００８】
本発明は、前記した問題に鑑みてなされたもので、剥離紙が貼着された接着剤層を備えたシートを用いずに、特許文献１と同様に面ファスナー（マジックテープ）を用いながら、特許文献１の問題を解決するものである。即ち、巻き付ける電線量が変わっても、電線群の外周に密着して巻き付けてしっかりと保持して、電線群のガタ付きによりシートとの接触で発生する異音発生を防止すると共に更に消音化できるようにすることを課題としている。
【課題を解決するための手段】
【０００９】
前記課題を解決するため、本発明は、自動車に配索するワイヤハーネスの複数の電線群の長さ方向に沿って一枚の保護シートを側方より寿司巻き状に巻き付けており、
前記保護シートは、絶縁樹脂からなるシート本体の一面の巻付端縁に沿ってオス型面ファスナーを取り付けている一方、前記シート本体の他面側に、前記オス型面ファスナーと対向する巻付端側を除く全面にメス型面ファスナーを取り付けたものとし、
前記保護シートは、前記電線群の外周に、前記シート本体を外面とすると共に前記メス型面ファスナーを内面として巻き付け、巻付端側で内周側に位置させる前記オス型面ファスナーのオス係止部に前記メス型面ファスナーのメス係止部を係止していることを特徴とするワイヤハーネスを提供している。  
【００１０】
前記のように、本発明で用いる保護シートは、オス型面ファスナーはシート本体の一面側の巻付端に沿って設けている一方、メス型面ファスナーはシート本体の他面側の略全面に設けている。このため、保護シートを巻き付ける電線群の量が変化しても、メス型面ファスナーに対するオス型面ファスナーの結合位置を変えるだけで、保護シートに囲まれる容積を調整でき、電線群の外周に密着した状態で保護カバーを巻き付けることができる。よって、保護シート内部での電線群にガタ付つ発生を防止できる。
なお、巻付端側に設けるオス型面ファスナーの幅を比較的広くしておくと、電線群が少ない場合に、メス型面ファスナーの端部はオス型面ファスナーと結合できる。
【００１１】
また、本発明では、電線群の外周に保護シートのメス型面ファスナーを接触させ、保護シートと電線群との間に接触音が発生した場合に、メス型面ファスナーにより消音化している。
【００１２】
前記オス・メス面ファスナーは周知の構成で、オス型面ファスナーのオス係止部は基布から略フック状の糸条を植毛している一方、メス型面ファスナーのメス係止部は基布からループ状の糸条を植毛しており、オス係止部を引っ掛ける形状としている。
前記構成としているため、メス型面ファスナーの表面はオス型面ファスナーの表面と比較して比較的滑らかである。よって、電線群と接触した際に生じる摩擦力は小さく、電線群との接触部に発生する音はオス型面ファスナーよりも低減でき、所謂、消音機能に優れている。
なお、本発明者は、メス型面ファスナーを電線群と摺接させた場合と、オス型面ファスナーを電線群と摺接させた場合とにおける発生音を比較実験した結果、メス型面ファスナーの方が発生音が小さいことを知見している。
【００１３】
前記保護シートのシート本体は、例えば、塩化ビニル樹脂シートとしている。該塩化ビニル樹脂シートの一面に前記オス型面ファスナー、他面に前記メス型面ファスナーの基布を溶着、接着、または縫着して取り付けている。
【００１４】
なお、メス型面ファスナーの基布を比較的厚くして耐久性および耐傷性を有するものとすれば、保護シートのシート本体をメス型面ファスナー自体で形成し、該メス型面ファスナーの基布の裏面側の一端縁に沿ってオス型面ファスナーを取り付けて構成とすることも可能である。
【発明の効果】
【００１５】
上述したように、本発明では、電線群を集束保護する保護シートとして、絶縁樹脂からなるシート本体の一面の巻付端側に長さ方向に沿ってオス型面ファスナーを取り付けている一方、該記シート本体の他面側に、前記オス型面ファスナーと対向する巻付端側を除く全面にメス型面ファスナーを取り付けた保護シートを用いている。このように、メス型面ファスナーはオス型面ファスナーの取付面と反対面の略全面に設けているため、オス型面ファスナーは任意の位置でメス型面ファスナーと係止して結合でき、該保護シートで囲む容積を任意に調整できる。その結果、電線群の外径が変化しても保護シートを密着させて被覆でき、保護シート内で電線群をしっかりと保持でき、自動車走行時に電線群にガタ付きが発生するのを防止できる。
【００１６】
また、保護シートは、電線群にシート本体を外周とすると共にメス型面ファスナーを内周として保護シートを巻き付け、巻付端側で内周側に位置させる前記オス係止部に前記メス係止部を係止している。該構成として、電線群の外周にメス型面ファスナーのメス係止部を接触しているため、電線群をメス係止部により弾性保持した状態となり、電線群とシートとの間に発生する摩擦を低減でき、摩擦により発生する音を消すことができる。
【発明を実施するための最良の形態】
【００１７】
以下、本発明の実施形態を図面を参照して説明する。
図１は保護シート１を示し、該保護シート１を図２に示すようにワイヤハーネスＷ／Ｈを構成する電線群１０の外周に寿司巻き状に巻き付けている。
【００１８】
保護シート１は、塩化ビニル樹脂シートからなるシート本体２と、該シート本体２の一面（図中、上面）に設けたメス型面ファスナー３と、シート本体２の他面（図中、下面）に設けたオス型面ファスナー４とからなる。
【００１９】
保護シート１の全体形状は、図１（Ｂ）に示すように、長方形状で、長さ方向の寸法Ｓ１は電線群１０の長さ方向に沿って巻き付ける範囲の長さとしている。幅方向の寸法Ｓ２は電線群１０の外径に対応させて、該電線群１０の外周に、寿司巻き状で端縁を重ね合わせた状で略１周巻ける大きさとしている。
【００２０】
前記シート本体２の下面に設けるオス型面ファスナー４は、巻付端縁となる幅方向の一端に沿って細幅で取り付けている。一方、シート本体２の上面に設けるメス型面ファスナー３は、オス型面ファスナー４を取り付けた巻付端側を除いた全面に取り付けている。
【００２１】
前記メス型面ファスナー３およびオス型面ファスナー４は、夫々基布３ａ、４ａからメス係止部３ｂ、オス係止部４ｂとなる樹脂糸を植毛状に突出した周知の構成からなる。
即ち、メス係止部３ｂは、図３（Ａ）に示すように、ループ状の糸条としている。オス係止部４ｂは図３（Ｂ）に示すように、略フック状の糸条としている。
前記メス型面ファスナー３およびオス型面ファスナー４は、それぞれ基布３ａ、４ａをシート本体２に接着剤を用いて固着、溶着、または縫着して取り付けている。
【００２２】
前記保護シート１は図２（Ａ）（Ｂ）（Ｃ）に示すように、電線群１０の外周に、シート本体を２外周とすると共にメス型面ファスナー３を内面として寿司巻き状に巻き付けている。巻付端側で、内周側に位置させるオス係止部４ｂにメス係止部３ｂを係止して結合している。
この巻き付け状態で、電線群１０の外周面は８０〜９０％がメス型面ファスナー３のメス係止部３ｂと接触する。
【００２３】
このように、電線群１０の外周に保護シート１を巻き付けると、電線群１０の外周が変化しても、オス係止部４ｂがメス係止部３ｂに係止する位置を変えることができるため、保護シート１を電線群１０の外周面に密着した状態で巻き付けることができる。よって、保護シート１内で電線群１０にガタ付きが発生せず、自動車走行時の振動で異音が発生するのを防止できる。
【００２４】
さらに、電線群１０の外周面の大半はメス型面ファスナー３で囲まれ、メス係止部３ｂが接触する。メス係止部３ｂはループ状の糸条からなるため、オス係止部４ｂが接触するよりは滑らかに弾性接触し、接触摩擦を低減できる。また、前記したように、電線群１０の外周面にメス係止部３ｂを接触させた場合は、オス係止部４ｂを接触させた場合よりも、接触音を低減または消音することができる。
【００２５】
さらに、前記従来例に記載した剥離紙を剥がして接着層を露出させてシートの巻付端を接着する場合には、余分な作業が増えるが、本発明では、保護シート１の外周端側を内周側に押さえ付けるだけでオス係止部にメス係止部が係止して結合でき、作業が簡単になると共に、作業員の手に接着剤が付着する問題もない。かつ、剥離紙が無いため、ゴミがでず、環状上の問題も発生しない。さらにまた。保護シート１の巻き直しも容易にできる等の種々の利点を有する。
【図面の簡単な説明】
【００２６】
【図１】本発明の実施形態で用いる保護シートを示し、（Ａ）は断面図、（Ｂ）は平面図である。
【図２】保護シートを電線群に巻き付けた状態を示し、（Ａ）は斜視図、（Ｂ）は断面図、（Ｃ）は部分拡大断面図である。
【図３】（Ａ）はメス型面ファスナーの拡大図、（Ｂ）はオス型面ファスナーの拡大図である。
【図４】（Ａ）（Ｂ）は従来例を示す図面である。
【図５】（Ａ）（Ｂ）は他の従来例を示す図面である。
【符号の説明】
【００２７】
１  保護シート
２  シート本体
３  メス型面ファスナー
３ａ  基布
３ｂ  メス係止部
４  オス型面ファスナー
４ａ  基布
４ｂ  オス係止部
１０  電線群
Ｗ／Ｈ  ワイヤハーネス
【図１】
2009266596.tif 000003
【図２】
2009266596.tif 000004
【図３】
2009266596.tif 000005
【図４】
2009266596.tif 000006
【図５】
2009266596.tif 000007